(57)【要約】【課題】  周囲のにぎやかさに応じた間奏曲データを再生することができ、ディスク交換時の無音時間をなくす。【解決手段】  本願のディスク再生装置は、ディスクチェンジ部２がディスク再生部１２にセットされているディスクを他のディスクに交換する際に、音源メモリ３に記憶されている曲のリズム、テンポの速さの順番、又は曲調の明暗の順番に応じて、検出された周囲の騒音のレベルと一対一に対応するランク付けがなされた複数の音源データのうち、制御部８によって検出された騒音のダイナミックレンジに応じて分類された周囲の騒音のレベルとランク付けが一対一に対応する音源データを選択して再生する音源再生部４を備える。【選択図】図２
2008293642.tif 000002
【特許請求の範囲】
【請求項１】
音楽データが記録されたディスクを再生して音楽信号を出力するディスク再生手段と、
複数のディスクを収容する収容部を有するとともに、収容している１又は複数のディスクから上記ディスク再生手段により再生される１つのディスクを選択し、選択したディスクを上記ディスク再生手段に対してセットするディスク収容／セット手段と、
騒音のダイナミックレンジに応じて分類された周囲の騒音のレベルを検出する騒音レベル検出手段と、
曲のリズム、テンポの速さの順番、又は曲調の明暗の順番に応じて、前記騒音レベル検出手段によって検出された周囲の騒音のレベルと一対一に対応するランク付けがなされた複数の音源データを記憶する音源データ記憶手段と、
上記音源データ記憶手段に記憶されている音源データを再生して音楽信号を出力する音源データ再生手段と、
上記ディスク再生手段から出力された音楽信号及び上記音源データ再生手段から出力された音楽信号を外部に出力する出力手段とを備え、
上記音源データ再生手段は、上記ディスク収容／セット手段が上記ディスク再生手段にセットされているディスクを他のディスクに交換する際に、上記音源データ記憶手段に記憶されている複数の音源データのうち上記騒音レベル検出手段によって検出された騒音のレベルに対応した１つの音源データを選択し、選択した音源データを再生するディスク再生装置。
【発明の詳細な説明】
【技術分野】
【０００１】
本発明は、例えばいわゆるコンパクトディスク等のように音声等の情報が記録されたディスクを再生するディスク再生装置に関する。
【背景技術】
【０００２】
従来、ＣＤ（コンパクトディスク）等の記録媒体を複数枚マガジンに収納し、そのマガジンから所望のディスクを取り出して演奏するオートチェンジ機能付のディスク再生装置が存在する。オートチェンジ機能付のディスク再生装置によれば、最初のディスクから最後のディスクまで連続再生したり、ユーザが所望のディスクを選択することで、所望のディスクを再生することもできる。
【０００３】
また、収納されているディスクのイントロ部分の音響データを、予めメモリに録音しておき、ディスク交換時、次のディスクの再生が開始されるまでの間に、該メモリに録音された音響データを再生し、ディスクの再生準備ができたところで、音響データの再生をディスクの再生に切り換えることによって、ユーザに次に再生される曲が迅速に認識できることや、ディスク交換時の無音状態をなくすことができる発明も提案されている（例えば、特許文献１参照。）。
【０００４】
【特許文献１】特開平０４−２５８８６６号公報
【発明の開示】
【発明が解決しようとする課題】
【０００５】
しかしながら、上記オートチェンジ機能付ディスク再生装置では、ディスクが交換される際の無音状態の時間に、次に再生される曲のイントロ部分を流すことによって、次に再生予定のディスクに記録された音楽がどのような音楽かを認識することができるが、例えば、ホームパーティなどでＢＧＭ（Ｂａｃｋ  Ｇｒｏｕｎｄ  Ｍｕｓｉｃ）として音楽を流している場合には、周囲の盛り上がりに合わせて、間奏曲を挿入することができない。周囲が盛り上がっている場合には、リズムのいい間奏曲を挿入したり、落ち着いた雰囲気の場合には、落ち着いた間奏曲を挿入できるようにすると、よりユーザフレンドリィである。また、ディスク交換を含めてディスクの再生ができるまでにかかる時間が長すぎると、予めメモリに録音された音響データが足りないために、曲が途中で途切れてしまうというユーザにとって不快な状態が生じてしまう。逆に、音響データが足りないことのないように長い時間メモリに録音すると、それだけ容量の大きいメモリが必要になってしまう。
【０００６】
本発明は、このような従来の実情に鑑みて提案されたもので、ディスク交換時における無音時間をなくすことができる機能を持った、オートチェンジ機能付ディスク再生装置を提案することを目的とする。
【課題を解決するための手段】
【０００７】
上述した目的を達成するために、本発明に係るディスク再生装置は、音楽データが記録されたディスクを再生して音楽信号を出力するディスク再生手段と、複数のディスクを収容する収容部を有するとともに、収容している１又は複数のディスクから上記ディスク再生手段により再生される１つのディスクを選択し、選択したディスクを上記ディスク再生手段に対してセットするディスク収容／セット手段と、騒音のダイナミックレンジに応じて分類された周囲の騒音のレベルを検出する騒音レベル検出手段と、曲のリズム、テンポの速さの順番、又は曲調の明暗の順番に応じて、前記騒音レベル検出手段によって検出された周囲の騒音のレベルと一対一に対応するランク付けがなされた複数の音源データを記憶する音源データ記憶手段と、上記音源データ記憶手段に記憶されている音源データを再生して音楽信号を出力する音源データ再生手段と、上記ディスク再生手段から出力された音楽信号及び上記音源データ再生手段から出力された音楽信号を外部に出力する出力手段とを備え、上記音源データ再生手段は、上記ディスク収容／セット手段が上記ディスク再生手段にセットされているディスクを他のディスクに交換する際に、上記音源データ記憶手段に記憶されている複数の音源データのうち上記騒音レベル検出手段によって検出された騒音のレベルに対応した１つの音源データを選択し、選択した音源データを再生することを特徴とする。
【発明の効果】
【０００８】
本発明によれば、検出された音レベルに応じた音源データを選択し、ディスク交換時にその音源データを再生するので、周囲のにぎやかさに応じた間奏曲データを再生することができ、ディスク交換時の無音時間をなくすことができる。
【発明を実施するための最良の形態】
【０００９】
以下、本発明の実施の形態について、図面を参照しながら詳細に説明する。この実施の形態は、コンパクトディスク等の音楽データが記録された光ディスクを複数枚収容することができ、その中から一つ光ディスクを選択して再生するディスクチェンジャ付きのディスク再生装置に本発明を適用したものである。
【００１０】
図１に、本発明の実施の形態のディスク再生装置１の構成を示す。ディスク再生装置１は、複数枚の光ディスクを収容してその中から一つ光ディスクを選択して再生するディスクチェンジ部２と、複数の音源データを記憶する音源メモリ３と、音源メモリ３に記憶されている音源データを再生する音源再生部４と、ディスクチェンジ部２からの再生信号と音源再生部４からの再生信号とを合成するミックス回路５と、ミックス回路５から出力された信号を増幅する増幅器６と、増幅器６から出力された信号を放音するスピーカ７と、制御部８と、マイクロフォン９と、入力部１０と、表示部１１とを備えている。
【００１１】
ディスクチェンジ部２は、ディスク再生部１２と、複数のディスクを収容することができる収容部１３とを備えている。ディスク再生部１２は、例えばコンパクトディスク等の光ディスクを再生して、音楽信号を出力する。収容部１３は、上記ディスク再生部１２により再生される光ディスクを１又は複数枚収容する。また、収容部１３は、収容している複数枚の光ディスクのうちの任意の１枚の光ディスクを取り出してディスク再生部１２に再生可能な状態にセットし、ディスク再生部１２にセットされている光ディスクを取り外すといったディスクチェンジ機能を有している。ディスクチェンジ部２は、このようにディスクチェンジ機能を有しているため、ユーザのディスク交換の負担が軽減し、さらに、ディスク交換がスムーズに行われる。ディスクチェンジ部２は、再生した音楽信号をミックス回路５に出力する。
【００１２】
また、ディスクチェンジ部２は、上記の各曲の音楽データの他に、各曲毎のスタートアドレスおよびエンドアドレスやＴＯＣ（Ｔａｂｌｅ  Ｏｆ  Ｃｏｎｔｅｎｔｓ）情報などの各種の情報を光ディスクから読み出し、制御部８に出力する。上記ＴＯＣ情報は、各曲毎の再生時間のデータ、全ての曲の総和の再生時間のデータ、各曲毎のスタートアドレスおよびエンドアドレスを示すデータなどを含む。
【００１３】
音源メモリ３には、ディスク交換時などに再生される複数の種類の間奏曲データが記録されている。音源メモリ３に記録されている複数の間奏曲データは、ここでは、例えば、サンバ、ロック、ディスコ、テクノ、バラードの５種類が格納されているものとする。
【００１４】
また、各間奏曲データは、例えば曲のリズムやテンポの速さの順番、又は、曲調の明暗等の順番に応じて、ランク付けがされている。例えば、上記５種類の間奏曲データの場合であれば、サンバはランク５、ロックはランク４、ディスコはランク３、テクノはランク２、バラードはランク１といったようにランク付けをしている。
【００１５】
また、１つの間奏曲データは、基本パターンと終了パターンの２つのパターンの組み合わせで構成されている。基本パターンは、繰り返し再生されてもその曲が連続しているようにユーザに感じさせる音楽データである。それに対して、終了パターンは、その曲が終了するような印象をユーザに与える音楽データである。例えば、具体的にサンバの間奏曲データは、基本パターンはサンバのリズムでにぎやかな雰囲気の音楽であり、その終了パターンは笛が吹かれた音で、音が鳴りやむと終了とするデータが格納されている。間奏曲データは、ディスク交換が終了されるまで、基本パターンを繰り返し再生し、ディスク交換が終了した場合、基本パターンの最後に終了パターンを再生することで、ディスク交換時の無音時間をなくし、曲と曲のつながりをスムーズに行っている。
【００１６】
音源再生部４は、音源メモリ３に記録されている間奏曲データを読み出して再生し、音楽信号として出力する。音楽再生部４が再生する間奏曲データは、制御部８からの指示で音源メモリ３内から選択される。音源再生部４は、再生した音楽信号をミックス回路５に出力する。
【００１７】
ミックス回路５は、ディスクチェンジ部２のディスク再生部１２から出力される音楽信号と、音源再生部４から出力される音楽信号とをミックス処理し、増幅器６に出力する。増幅器６によって増幅されたデータはスピーカ７によって放音され、ユーザは音楽などを聞くことができる。
【００１８】
制御部８は、ディスク再生装置１の各機能部を統括的に制御するＣＰＵ（Ｃｅｎｔｒａｌ  Ｐｒｏｃｅｓｓｉｎｇ  Ｕｎｉｔ）である。制御部８は、ディスク再生部１２による光ディスクの再生制御をしたり、ディスク交換の際のディスク再生部１２からディスクを収容部１３に戻し、所定のディスクをディスク再生部１２にセットする動作を制御したりする。また、制御部８は、ディスク再生部１２からのＴＯＣ情報に基づいて、ディスク再生部１２からの出力と、音源再生部４からの出力を制御する。
【００１９】
マイクロフォン９は、周囲の音を集音し、音声信号に変換する。マイクロフォン９により集音された音声信号は、周囲の騒音信号として制御部８に出力される。マイクロフォン９から出力された騒音信号は、制御部８でそのレベルが検出され、音源メモリ３に格納された複数の間奏曲データのランクと比較し、一致した間奏曲データを出力するように制御される。
【００２０】
入力部１０は、ユーザにより操作される操作部であり、再生、停止、曲送り、ディスク選択などの各種の命令を入力するためのものであり、ユーザによって操作された信号は、制御部８に出力される。
【００２１】
表示部１１は、現在再生されている曲が何枚目のディスクの何曲目であるかの情報や、再生時間、残り時間、各種機能を操作するメニューなどの情報を表示するためのものである。
【００２２】
つぎに、図２および図３に示すフローチャートを用いて、ディスク再生装置１が複数枚の光ディスクを連続再生する動作について説明する。
【００２３】
ディスク再生装置１では、ある光ディスクの再生が終了すると、ディスク再生部１２からその光ディスクを取り外し、次に再生する光ディスクをディスク再生部１２にセットし、新しくセットされた光ディスクの再生を開始するといった一連の動作を行う。さらに、ディスク再生装置１では、光ディスクの再生が終了してから次の光ディスクの再生が開始されるまでのディスク交換の間、無音状態が生じないように、次のステップＳ１〜ステップＳ１０に示す間奏曲データの再生制御を行っている。
【００２４】
ステップＳ１において、制御部８は、現在再生中の光ディスクの最終曲が終了したかどうかを判断する。最終曲の再生が終了したと判断された場合は、工程をステップＳ２へ進め、まだ最終曲の再生が終了していない場合は、ステップＳ１で待機する。なお、このステップＳ１で制御部８により最終曲が終了したと判断された場合は、ディスクチェンジ部２では、次の光ディスクを再生するためにディスク交換が開始されている。
【００２５】
次に、ステップＳ２において、制御部８は、マイクロフォン９により検出された騒音信号のレベルを検出し、そのレベルをクラス分けする。例えば、制御部９は、マイクロフォン９により検出される騒音信号のダイナミックレンジを予めレベル１〜レベル５の５段階にクラス分けしておき、検出した騒音信号のレベルがいずれのクラスに入るかを判断することにより、クラス分けを行う。なお、このクラスは、間奏曲データに付けられているランクと一対一で対応している。例えば、騒音信号のレベル１が間奏曲データのランク１に対応し、騒音信号のレベル２が間奏曲データのランク２に対応し、騒音信号のレベル３が間奏曲データのランク３に対応し、騒音信号のレベル４が間奏曲データのランク４に対応し、騒音信号のレベル５が間奏曲データのランク５に対応する。
【００２６】
次に、ステップＳ３において、制御部８は、ステップＳ２で検出された騒音レベルに対応するランクの１つの間奏曲データを選択し、ステップＳ４に進む。例えば、周囲が最高潮ににぎやかで、ステップＳ２において、周囲の騒音信号が最高のレベル５にあると判断されると、ステップＳ３においては、ランク５のサンバの間奏曲データが選択される。
【００２７】
ステップＳ４において、制御部８は、選択した間奏曲データの基本パターンの再生開始命令を音源再生部４に出し、ステップＳ５に進む。音源再生部４では、この再生命令が与えられると、選択された間奏曲データの基本パターンを音源メモリ３から読み出し、再生を開始する。
【００２８】
ステップＳ５において、制御部８は、次に再生される光ディスクの再生準備が完了したかを判断する。例えば、次に再生される光ディスクが収容部１３から取り出され、ディスク再生部１２にセットされ、その光ディスクのＴ Ｏ Ｃ の読み出しが完了したという通知があったかどうかを判断する。次に再生される光ディスクの再生準備が完了したと判断された場合は、図３のステップＳ７に進み、準備が完了していないと判断された場合は、ステップＳ６に進む。
【００２９】
ステップＳ６において、制御部８は、選択された間奏曲データの基本パターンの再生が終了したかどうかを判断する。再生が終了したと判断された場合は、ステップＳ４に戻り、選択された間奏曲データの基本パターンを再度繰り返し再生するように音源再生部４に命令を出す。また、選択された間奏曲データの基本パターンの再生が終了していない場合は、ステップＳ５に戻り、ステップＳ５及びステップＳ６の処理を繰り返し行う。
【００３０】
このように、制御部８では、次の光ディスクの再生準備が完了するまでの間、基本パターンを繰り返し再生する。このため、間奏曲データが短すぎて無音状態が発生するということがなく、光ディスク交換にかかる時間に近い時間だけ間奏曲データを再生することができる。
【００３１】
次に、図３のステップＳ７において、制御部８は、選択された間奏曲データの基本パターンの再生が終了したかどうかを判断する。基本パターンの再生が終了したと判断された場合は、ステップＳ８に進み、終了していないと判断された場合は、再生が終了するまでステップＳ７を繰り返す。
【００３２】
ステップＳ８において、制御部８は、選択した間奏曲データの終了パターンの再生開始命令を音源再生部４に出し、ステップＳ９に進む。音源再生部４では、この再生命令が与えられると、選択された間奏曲データの終了パターンを音源メモリ３から読み出し、再生を開始する。
【００３３】
ステップＳ９において、制御部８は、選択された間奏曲データの終了パターンの再生が終了したかどうかを判断する。再生が終了したと判断された場合は、ステップＳ１０に進み、再生が終了していないと判断された場合は、ステップＳ９に戻り、終了パターンの再生が終了したと判断されるまで繰り返される。
【００３４】
ステップＳ１０において、制御部８は、再生準備が完了した次に再生される光ディスクの再生開始の命令を、ディスクチェンジ部２に出す。ディスクチェンジ部２のディスク再生部１２は、この命令が出されると、光ディスクの再生を開始する。ステップＳ１０が終了すると、再び図２のステップＳ１に戻り、ステップＳ１からステップＳ１０までの処理を繰り返す。
【００３５】
このように、ディスク再生装置１の制御部８は、光ディスクの再生が終了したと判断した場合は、次の光ディスクに交換されるまでの間に、マイクロフォン９によって検出された騒音レベルから最適な間奏曲データを選択し、その間奏曲データを再生することによって、ディスク交換時の無音時間をなくし、曲と曲のつながりを自然にすることが可能となる。
【００３６】
なお、上述のように、複数枚の光ディスクの連続再生において、ディスク交換時の間奏曲データの再生から交換後の光ディスクの再生までの動作について説明したが、これに限らず、例えば、ユーザが予め再生する曲の順番を指定している場合でも、指定した曲の順番によって、光ディスクを交換の必要が生じた場合にも、上記同様の流れで、間奏曲を再生することができる。
【００３７】
また、音源メモリ３に格納された間奏曲データは、予め記録されたデータであったが、これに限ったものではない。例えば、ディスク再生装置１ をインターネットに接続し、間奏曲データをダウンロードすることによって、間奏曲データを最新のものに更新することができるようにしてもよい。さらに、音源メモリ３ をリムーバブルなメモリカードなどの記録媒体を着脱可能にしてもよい。
【００３８】
また、上述のように、終了パターンを１ 回だけ再生するように説明したが、これに限らず、例えば、繰り返し再生されてもその曲が連続しているようにユーザに感じさせる終了パターンを、複数回再生するようにしてもよい。
【図面の簡単な説明】
【００３９】
【図１】本発明を適用したディスク再生装置１ のブロック図である。
【図２】ディスク再生装置１ のディスク交換時における動作を説明するためのフローチャートである。
【図３】ディスク再生装置１ のディスク交換時における動作を説明するための他のフローチャートである。
【符号の説明】
【００４０】
１  ディスク再生装置、２  ディスクチェンジ部、３  音源メモリ、４  音源再生部、６  増幅器、７  スピーカ、８  制御部、９  マイクロフォン、１０  入力部、１１  表示部、１２  ディスク再生部、１３  収容部
【図１】
2008293642.tif 000003
【図２】
2008293642.tif 000004
【図３】
2008293642.tif 000005